【事件の表示】
　特許第２５７５８４３号「画像入出力システム及び信号処理条件の自動設定方法」の請求項１ないし３に係る特許に対する特許異議の申立てについて、次のとおり決定する。
【結論】
　訂正を認める。
　特許第２５７５８４３号の請求項１ないし３に係る特許を維持する。
【理由】
Ｉ　手続きの経緯
　本件特許第２５７５８４３号発明（以下「本件特許発明」という）は、昭和６３年１０月１３日に特許出願され、平成８年１１月７日にその特許の設定登録がなされたものであり、その後、平成９年７月２５日にコニカ株式会社より、また、平成９年７月２９日に相原光政より特許異議の申立てがなされ、平成９年１２月９日に取消理由通知がなされ、平成１０年３月１０日に訂正請求がなされ、平成１０年１２月２４日に訂正拒絶理由通知がなされ、平成１１年３月３１日に手続補正されたものである。
ＩＩ　訂正の適否
１　訂正の要旨
　前記訂正の要旨は、本件特許発明の明細書を補正された訂正請求書に添付された訂正明細書の通り、すなわち下記の通り訂正することを求めるものである。
　　　　　　　　　　　記
　訂正事項ａ：　　　　　　　　　　　　　　　
　訂正事項ａ１；　明細書の特許請求の範囲の請求項１に係る記載「信号処理手段と、」（特許公報第１頁第１欄５行）を、「信号処理手段と、前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに」と訂正し、
　訂正事項ａ２；　同請求項１内の「自動的に」（同公報第１頁第１欄１０行）を削除し、
　訂正事項ａ３；　同請求項１内の「入力手段と、前記信号処理手段の出力に基づいて画像を記録する記録手段とを具備したこと」（同公報第１頁第１欄１２行〜１３行）を「入力手段とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には，予め格納されている条件データが読み出されて前記信号処理条件が設定され、前記手動モードが選択された場合には、手動で条件データが入力されて前記信号処理条件が設定されること」と訂正する。
　訂正事項ａ４；　同公報第３頁第６欄８行の「信号処理手段と、」を「信号処理手段と、前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに」と訂正し、
　訂正事項ａ５；　同公報第３頁第６欄１３行〜１４行の「自動的に」を削除し、
　訂正事項ａ６；　同公報第３頁第６欄１５行〜１６行の「入力手段と、前記信号処理手段の出力に基づいて画像を記録する記録手段とを設けること」を「入力手段とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが選択された場合には、手動で条件データが入力されて前記信号処理条件が設定されること」と訂正する。
　訂正事項ｂ：
　訂正事項ｂ１；　特許請求の範囲の請求項３内の「するようになっている画像入出力システムにおいて、」（同公報第１頁第２欄４行）を「するようになっており、前記信号処理のパラメータを設定するセットアップのモードを選択可能な画像入出力システムにおいて、前記セットアップのモードとして自動モードが選択された場合には、」と訂正する。
　訂正事項ｂ２；　同公報第３頁第６欄１９行の「画像を記録するようになっている」を「画像を記録するようになっており、前記信号処理のパラメータを設定するセットアップのモードを選択可能な」と訂正し、
　訂正事項ｂ３；　同公報第３頁第６欄２１行の「前記原稿のラフスキャンデータ」を「前記セットアップのモードとして自動モードが選択された場合には、　前記原稿のラフスキャンデータ」と訂正する。
　訂正事項ｂ４；　特許請求の範囲の請求項３内の「自動的に設定する」（同公報第１頁第２欄９行）を、「自動的に設定し、前記セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセツ　　トモードが選択された場合には、予め格納されている条件データを読み出して前記信号処理のパラメータを設定し、前記手動モードが選択された場合には、手動で入力された条件データにより前記信号処理のパラメータを設定する」と訂正する。
　訂正事項ｂ５；　同公報第３頁第６欄２７行の「自動的に設定する」を「自動的に設定し、前記セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセットモードが選択された場合には、予め格納されている条件データを読み出して前記信号処理のパラメータを設定し、前記手動モードが選択された場合には、手動で入力された条件データにより前記信号処理のパラメータを設定する」と訂正する。」
　訂正事項ｃ：
　訂正事項ｃ１；　同公報第５頁第９欄３０行の「タ入力装置」を「入力装置」と訂正する。
２　訂正の目的・範囲の適否と拡張・変更の存否
　前記訂正事項ａ〜訂正事項ｃについて検討する。
　前記訂正事項ａ１，ａ２、ａ３、ｂ１およびｂ４は、特許請求の範囲の減縮を目的とするものであり、前記訂正事項ａ４，ａ５およびａ６は、訂正事項ａ１，ａ２、ａ３による訂正に伴う明瞭でない記載の釈明を目的とするものであり、前記訂正事項ｂ２、ｂ３およびｂ５は、訂正事項ｂ１、ｂ４による訂正に伴う明瞭でない記載の釈明を目的とするものであり、前記訂正事項ｃ１は、誤記の訂正を目的とするものである。
　そして、前記各訂正は、願書に添付した明細書又は図面に記載した事項の範囲内であり、実質上特許請求の範囲を拡張し又は変更するものでない。
３　独立特許要件の存否
▲１▼　訂正後の本件特許発明
　訂正後の本件請求項１〜３に係る特許発明の目的、効果は「平面走査型の画像入出カシステム及びその処理条件自動設定方法」において、「面倒な原稿貼りをなくし、操作を要することなく原稿データを自動解析して画像処理条件を自動設定する」ことであり、その訂正後の本件請求項１〜３に係る発明の構成は、
「１．原稿カセットに収納された原稿をラフスキャン又は本スキャンして読取る画像読取手段と、この画像読取手段から得られる前記原稿の本スキャンデータを信号処理する信号処理手段と、前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに前記ラフスキャンによる前記原稿のラフスキャンデータに基づいて前記原稿の特性値を求め、予め定めた第１のルールに従って前記特性値から原稿分類情報を求める原稿分類情報作成手段と、前記原稿分類情報に基づき、予め定めた第２のルールに従って前記信号処理手段の信号処理条件を設定する信号処理条件設定手段と、必要な指示情報を入力する入力手段とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが選択された場合には、手動で条件データが入力されて前記信号処理条件が設定されることを特徴とする画像入出力システム。
２．前記第１及び／又は第２のルールにファジー推論を用いた請求項１に記載の画像入出力システム。
３．画像カセットに収納された原稿を読取り、その読取信号に対して信号処理を施して後に画像を記録するようになっており、前記信号処理のパラメータを設定するセットアップのモードを選択可能な画像入出力システムにおいて、前記セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセットモードが選択された場合には、予め格納されている条件データを読み出して前記信号処理のパラメータを設定し、前記手動モードが選択された場合には、手動で入力された条件データにより前記信号処理のパラメータを設定するようにしたことを特徴とする信号処理条件の自動設定方法。」
である。
▲２▼　甲各号証記載発明
　刊行物１（特開昭５６−８７０４４号公報）には、
（ａ）「階調修正の適正条件決定については、・・原稿の調子を人間が判断して決定しているのが現状であり、・・さらに、色修正についても、・・オペレータがモニター装置あるいは画像走査記録装置の出力値を見ながら、もしくは熟練したオペレータの判断に基づいて行われており、」（第３頁左上欄６行〜１５行）、
（ｂ）「本発明は、カラースキャナ等の画像走査記録装置における基本的な調整項目であるハイライト及びシャドウポイントの適正値、並びに階調修正、色修正等の適正特性を決定する場合、前記した如き判断ミスが生じないで、自動的に適正条件決定が行える方法を提供することを目的とするものである。」（第３頁左下欄１７行〜右上欄３行）、
（ｃ）「階調修正に係る適正特性を決定する場合には、前記ハイライトおよびシャドウポイント選定時に求めた原稿前面の色分解濃度信号値を利用して、所定濃度域内に含まれる濃度値の出現頻度を求める。例えば、原稿の全濃度域を第１図に示す如くＡ１，Ａ２，Ａ３の濃度域に３分割し、その濃度域の境界濃度Ｄ１，Ｄ２，Ｄ３と、原稿各部分の標本化濃度値とを比較し、その大小関係により、各濃度域Ａ１，Ａ２，Ａ３に含まれる標本数を計数する。・・さらに複数個、例えば第２図に示す如く各濃度域Ａ１，Ａ２，Ａ３をそれぞれに３個の濃度域に細分割し、・・各細分割濃度域Ａ１１・・Ａ３３に含まれる標本の出現頻度を計数して度数分布を求める。・・従って、再現階調特性としては、ノーマル調であり、しかも濃度値Ｄ１から濃度値Ｄ２２間の濃度値を強調し得るもの、例えば第３図（ロ）に示す如き再現階調特性をもって、原稿の階調修正を行えばよいことがわかる。従って、第１図の各領域Ａ１，Ａ２，Ａ３における出現頻度Ｎ１，Ｎ２，Ｎ３の大小関係を比較し、・・各出現頻度Ｎ１，Ｎ２，Ｎ３の大小関係すなわち分布特性に応じて、当該原稿が有する階調をおおまかに決定することができる。これを、第２図の各細分副濃度域Ａ１１・・・Ａ３３の出現頻度の大小関係を比較することにより、特に頻度の高い濃度城に対応する部分を階調修正した再現階調特性を、一義的に決めることが可能となる。例えば、第３図に示す如く、標準的なノーマル調に対応する再現階調特性（イ）に加えて、・・再現階調特性（ロ）、（ハ）を、第２図の度数分布の分布特性に対応させてあらかじめ用意しておき、その分布特性により選択し得るようにしておけばよい。」（第２頁右上欄第１８行−第４頁左上欄第１７行）、
（ｄ）「Ａ／Ｄ変換器で量子化するサンプリングピッチも、演算装置（８）のメモリ部容量が膨大にならないようにするため、スキャナ等の画像走査装置におけるサンプリングピッチよりも粗く設定することができ、副走査方向についても粗く設定することができる。」（第５頁右上欄第８−１４行）、
（ｅ）「第８図は、かかる階調検出方法を具体的に実施するための１例を示すもので、・・マグニチュードコンパレータ（１５）からは、Ｎ１＞Ｎ２の場合、Ｎ１＝Ｎ２の場合、Ｎ１＜Ｎ２の場合に対応して、それぞれ別個のラインからハイレベル信号「Ｈ」が出力され、マグニチュードコンパレータ（１６）からは、Ｎ２＞Ｎ３の場合、Ｎ２＝Ｎ３の場合、Ｎ２＜Ｎ３の場合に対応して、それぞれ別個のラインからハイレベル信号「Ｈ」が出力される。・・各濃度域の出現頻度Ｎ１，Ｎ２、Ｎ３の大小関係に応じて、アンドゲート回路（１７）〜（２５）のうち、いずれかのアンドゲート回路から出力信号があり、それに対応して、オアゲート回路（２６）、（２７）、（２８）のうち、いずれかのオアゲート回路から出力信号がある。・・第９図の曲線▲１▼〜▲９▼に示す如く、原稿がとり得る代表的階調特性を、分布特性のＮ１，Ｎ２，Ｎ３の大小関係に対応させ、・・原稿の有する階調特性がいずれかの階調特性に分類された時点で、該分類に対応する再現階調特性を選択し、当該再現階調特性に付された番号等を、第５図の出力部（１０）へ出力することにより、原稿の有する階調特性に応じた再現階調特性が自動的（標準的）に決まることになる。」（第６頁左下欄６行〜第７頁右上欄２行）、
（ｆ）「また、実際には、本発明に係る方法により自動的にセツトアツブ条件を決め、それによる予測結果をカラーＣＲＴ装置（１１）に表示し、必要に応じてオペレータがさらに修正を加え、所望の仕上がりが得られるセットアツプ条件を最終的に決定するこどが望ましい。」（第８頁左上欄第１２−１７行）、
（ｇ）第５図、第８図の図面とその対応する説明において、刊行物１開示の方法を実施するための装置として、第５図にはシリンダ（１）走査ヘッド（４）などからなる走査ヘッド部と、アナログ・デジタル変換器（７）と、データを信号処理する演算装置（８）と画像を記録する出力部（１０）とからなる画像入出力システムがしめされ、第８図に記載のような原稿の階調特性を検出する手段を設けることが示されている、とする事項より成る発明が記載されている。
　刊行物２（特開昭５９−１９５６５６号公報）には、
（ｈ）カセットに収納された原稿を読み取る画像読取手段（第８図）が示されている
▲３▼　訂正後の本件特許発明の新規性・進歩性
　刊行物１〜３の何れにも訂正後の本件請求項１および２に係る特許発明の構成要素である▲１１▼「「画像入出力システム」において、「セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが選択された場合には、手動で条件データが入力されて前記信号処理条件が設定される」」点は記載されていない。
　また、刊行物１〜３の何れにも訂正後の本件請求項３に係る特許発明の構成要素である▲１２▼「「信号処理条件の自動設定方法」において、「セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセットモードが選択された場合には、予め格納されている条件データを読み出して前記信号処理のパラメータを設定し、前記手動モードが選択された場合には、手動で入力された条件データにより前記信号処理のパラメータを設定するようにした」」点は記載されていない。
　　そして、上記の各点▲１１▼▲１２▼により、本件請求項１〜３に係る発明が、セットアップのモードを自動モード、プレセットモード及び手動モードから選択することができ、その選択したモードによる処理をすることができるようになる作用効果を有すること、明らかである。
　してみれば、訂正後の本件請求項１〜３に係る特許発明が、刊行物１、２に記載された発明であるとも、刊行物１、２に記載された発明に基づいて、当業者が容易に発明をすることができたものであるとすることもできない。
▲４▼　独立特許要件の存否
　▲１▼〜▲３▼を総合して判断すると、訂正後における特許請求の範囲に記載されている請求項１〜３に係る発明について、特許出願の際独立して特許を受けることができない発明とすることはできない。
４　訂正の適否
　１〜３を総合して判断すると、前記訂正請求は、特許法第１２０条の４第２項第１号乃至第３号に掲げる事項を目的とし、且つ同条第３項で準用する特許法第１２６条第２項乃至第４項の規定に適合するので、当該訂正を認める。
ＩＩＩ　特許異議の申立てについて
１　特許異議申立の理由の要旨
　異議申立人相原光政は、本件請求項１〜３に係る特許発明が、甲４号証（特開昭５７−４５５６４号公報）、甲５号証（特開昭６０−１００８６７号公報）、甲６号証（特開昭５９−１７０８６４号公報）に記載された発明であるか、またはそれら刊行物に基づいて、当業者が容易に発明をすることができたものであるから、特許法第２９条第１項第３号または同法第２９条第２項の規定により特許を受けることができないものである旨主張し、異議申立人コニカ株式会社は、本件請求項１、３に係る特許発明が、甲１号証（特開昭５６−８７０４４号公報）、甲２号証（特開昭５９−１９５６５６号公報）、甲３号証（特開昭５５−２６５７１号公報）に記載された発明に基づいて当業者が容易に発明をすることができたものである旨、主張している。
２　特許異議申立の理由の適否
　訂正後の本件請求項１〜３に係る特許発明は、上記ＩＩの３で詳細に述べた様に、取消理由通知で示した上記甲１、２号証に記載された発明に基づいて容易に発明をすることができたものとすることはできない。
　また、上記甲３〜６号証には、上記ＩＩの３の▲３▼に記載した本件請求項１〜３に係る発明の▲１１▼▲１２▼の点が記載されているものと認められない。
　以上のとおりであるから、特許異議申し立ての理由及び証拠によっては、本件請求項１〜３に係る発明の特許を取り消すことはできない。
　また、他に本願請求項１〜３に係る発明の特許を取り消すことはできない。
ＩＶ　結び
　以上述べた通り、前記訂正請求はこれを認め、特許異議の申立は理由がなく、他に本件特許を取り消すべき理由を発見しない。
　よって、結論のとおり決定する。
【異議決定日】
平成１１年６月２８日（１９９９．６．２８）
【訂正の要旨】
　訂正の要旨
　訂正事項ａ：
　訂正事項ａ１；　明細書の特許請求の範囲の請求項１に係る記載「信号処理手段と、」（特許公報第１頁第１欄５行）を、「信号処理手段と、前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに」と訂正し、
　訂正事項ａ２；　同請求項１内の「自動的に」（同公報第１頁第１欄１０行）を削除し、
　訂正事項ａ３；　同請求項１内の「入力手段と、前記信号処理手段の出力に基づいて画像を記録する記録手段とを具備したこと」（同公報第１頁第１欄１２行〜１３行）を「入力手段とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には，予め格納されている条件データが読み出されて前記信号処理条件が設定され、前記手動モードが選択された場合には、手動で条件データが入力されて前記信号処理条件が設定されること」と訂正する。
　訂正事項ａ４；　同公報第３頁第６欄８行の「信号処理手段と、」を「信号処理手段と、前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに」と訂正し、
　訂正事項ａ５；　同公報第３頁第６欄１３行〜１４行の「自動的に」を削除し、
　訂正事項ａ６；　同公報第３頁第６欄１５行〜１６行の「入力手段と、前記信号処理手段の出力に基づいて画像を記録する記録手段とを設けること」を「入力手段とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが選択された場合には、手動で条件データが入力されて前記信号処理条件が設定されること」と訂正する。
　訂正事項ｂ：
　訂正事項ｂ１；　特許請求の範囲の請求項３内の「するようになっている画像入出力システムにおいて、」（同公報第１頁第２欄４行）を「するようになっており、前記信号処理のパラメータを設定するセットアップのモードを選択可能な画像入出力システムにおいて、前記セットアップのモードとして自動モードが選択された場合には、」と訂正する。
　訂正事項ｂ２；　同公報第３頁第６欄１９行の「画像を記録するようになっている」を「画像を記録するようになっており、前記信号処理のパラメータを設定するセットアップのモードを選択可能な」と訂正し、
　訂正事項ｂ３；　同公報第３頁第６欄２１行の「前記原稿のラフスキャンデータ」を「前記セットアップのモードとして自動モードが選択された場合には、
　前記原稿のラフスキャンデータ」と訂正する。
　訂正事項ｂ４；　特許請求の範囲の請求項３内の「自動的に設定する」（同公報第１頁第２欄９行）を、「自動的に設定し、前記セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセツトモードが選択された場合には、予め格納されている条件データを読み出して前記信号処理のパラメータを設定し、前記手動モードが選択された場合には、手動で入力された条件データにより前記信号処理のパラメータを設定する」と訂正する。
　訂正事項ｂ５；　同公報第３頁第６欄２７行の「自動的に設定する」を「自動的に設定し、前記セットアップのモードとして自動モード、プレセットモード及び手動モードを含み、前記自動モードが選択された場合には、前記原稿のラフスキャンデータから前記原稿の特性値を求め、予め定めた第１のルールに従って前記特性値から原稿分類情報を求め、前記原稿分類情報に基づき、予め定めた第２のルールに従って前記信号処理のパラメータを自動的に設定し、前記プレセツトモードが選択された場合には、予め格納されている条件データを読み出して前記信号処理のパラメータを設定し、前記手動モードが選択された場合には、手動で入力された条件データにより前記信号処理のパラメータを設定する」と訂正する。」
　訂正事項ｃ：
　訂正事項ｃ１；　同公報第５頁第９欄３０行の「夕入力装置」を「入力装置」と訂正する。
（５４）【発明の名称】
画像入出力システム及び信号処理条件の自動設定方法
（５７）【特許請求の範囲】
１．原稿カセットに収納された原稿をラフスキャン又は本スキャンして読取る画像読取手段と、この画像読取手段から得られる前記原稿の本スキャンデータを信号処理する信号処理手段と、
前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに
を設
とを有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが
される
２．前記第１及び／又は第２のルールにファジー推論を用いた請求項１に記載の画像入出力システム。
３．画像カセットに収納された原稿を読取り、その読取信号に対して信号処理を施して後に画像を記録するようになって
おり、前記信号処理のパラメータを設定するセットアップのモードを選択可能な
前記セットアップのモードとして自動モード、プレセットモード及び手動モードを含み、前記自動モードが選択された場合には、
設定し、前記プレセットモードが選択された場合には、予め格納されている条件データを読み出して前記信号処理のパラメータを設定し、前記手動モードが選択された場合．には、手動で入力された条件データにより前記信号処理のパラメータを
【発明の詳細な説明】
発明の目的；
（産業上の利用分野）
　この発明は画像入出力システム及び信号処理条件の自動設定方法に関し、特にカラー原画を線走査して指定の倍率に色分解入力し、色分解信号を適当な色修正，鮮鋭度強調，階調変換等の処理後に、網掛けしてＣＭＹ及び墨色分解版を平面走査で作成するようにした平面走査型の画像入出力システムにおける信号処理条件を自動的に設定するための方法及び自動設定機能を有する画像入出力システムに関する。
（従来の技術）
　従来より、複数のカラー原画を各色分解版毎にレイアウトするために、各原画を画像入出力システムを用いて所定の倍率で網掛け色分解フイルムを作成し、別工程で作成したマスク版と上記網掛け色分解フイルムとをレイアウトシート上に割付けて貼込み、これを密着露光することによりレイアウトされた各色分解版を作成する方法がある。しかしながら、かかる方法では工程が多く複雑で、かつレイアウトシートに色分解版を所定位置に見当合せて貼込むなど高度な熟練と、多くの時間，労力，材料を必要とするといった欠点がある。
　また、複数のカラー原画のそれぞれを指定の倍率でカラープリントし、作成された複製原画を予め決められた版下図形の形に切取り、版下台紙の所定の位置に貼込んでレイアウトされたカラー画像を複製する方法がある。しかしながら、かかる方法では写真的な手法を使用しているので、色修正処理，鮮鋭度強調，階調変換処理等を自由に変更することができないなど、画質の点で問題がある。さらに、複数の入力装置により矩形の画像を同時にレイアウト出力する装置がある（たとえば特公昭５２−３１７６２号）が、任意の図形に対応しにくく、マスク版作成等に労力を必要とし、カラー原稿の入力に複数の入力走査部を必要とするといった欠点がある。
　近年、印刷の製版工程におけるいわゆるトータルシステムと称されるレイアウトレタッチシステムが提案されているが、このシステムでは図形入力がディジタイザで入力され、カラーＣＲＴに図形及びイメージ（絵柄）が表示されるようになっている。カラー原画は指定の倍率でカラースキャナによって走査され、Ａ／Ｄ変換後に記憶装置に格納される。そして、格納されたカラー原画情報を入力図形情報に従ってカラーＣＲＴに表示し、対話入力によってコンピュータの主記憶装置内で編集し、出力画面に対応したフォーマットで再度磁気ディスク等に格納する。次いで、編集後の出力画面に対応したカラー画像情報をＤ／Ａ変換後、カラースキャナの出力制御回路に入力し、所望のレイアウト画像を得るようにしたものである。しかしながら、かかるレイアウトレタッチシステムは、カラー原画の情報格納のために大容量の記億媒体を必要とし、編集処理のために高速コンピュータを必要とするなど、システム構成の価格が高価であるといった欠点があり、編集処理等に多大の時間が必要であるといった欠点もある。
　このような欠点を解決した画像入出力システムとして第１１図に示すものが提案されており（特開昭５９−１１０６２号）、回転される入力ドラム１上に貼られたカラー原稿２を、図形入力装置としてのディジタイザ１４で図形入力された情報に従って、回転する出力ドラム１０上に貼られた記録材としての例えばカラーペーパー１１に画像出力するようにしている。カラー原稿２は読取ヘッド２１で走査されて色分解され、得られた色分解信号ＣＳは対数変換回路３に入力される。この対数変換回路３で濃度信号ＤＮに変換された後、Ａ／Ｄ変換器４においてディジタル信号ＤＳに変換される。このディジタル濃度信号ＤＳは信号処理部５及びマイクロプロセッサ１２に入力され、信号処理部５で色修正，鮮鋭度強調，階調変換処理などの色処理が行なわれ、この色処理された画像情報ＤＳＡはＤ／Ａ変換器６でアナログ信号に変換された後、レーザビームプリンタ内の変調器８に入力され、レーザ発振器７からのレーザ光を変調して出力ヘッド（図示せず）を介して出力ドラム１０上に貼られたカラーペーパー１１を露光するようになっている。
　一方、データ及び指令入力装置としてキーボードを備えたコンソール１６が用意されており、コンソール１６から入力されたデータ等はコンピュータ１３に入力され、このコンピュータ１３で処理された情報が対話型のグラフィックディスプレイ１５に表示されるようになっている。また、コンピュータ１３は更に下位システムのマイクロプロセッサ１２に接続され、マイクロプロセッサ１２はＡ／Ｄ変換器４からの濃度信号ＤＳを入力し、更に信号処理部５に接続されて演算処理を行なっている。なお、コンピュータ１３とマイクロプロセッサ１２とでコンピュータシステムを構成し、内蔵したプログラムに従ってオペレータ等に対する指示をグラフィックディスプレイ１５に表示するようになっている。また、入力ドラム１及び出力ドラム１０の位置は図示しない検出器によって検出され、その位置情報が動作制御部９に入力されるようになっており、この動作制御部９によりこれら入出カドラム１及び１０の位置関係を相対的に駆動制御するように、マイクロプロセッサ１２に接続されている。さらに、ディジタイザ１４は装置固有の原点座標及びＸ−Ｙ軸を有するが、信号処理によって任意の点へ原点を移動したり、座標の回転も容易に行なうことができる。これらディジタイザ１４と入力ドラム１上の画像位置は、共通する複数の位置にピン等のガイドを設けることにより対応関係がつくようになっている。そして、ディジタイザ１４はコンピュータ１３に接続され、画像の形状や所望の位置座標を入力できるようになっている。
（発明が解決しようとする課題）
しかしながら、第１１図の画像入出力システムでは、第１２図に示すように原稿読取時にカラー原稿２を直接アクリル樹脂，ガラス等で作られた透明で表面の滑らかな円筒状の入力ドラム１に貼付け、入力ドラム１の内側の光源２０からカラー原稿２に光を照射し、カラー原稿２からの透過光ＬＴを読取ヘッド２１で受けることによってカラー原稿２の画像を入力する。この場合、カラー原稿２と入力ドラム１との間に光源２０の光の波長程度の間隙があると、カラー原稿２の裏面と入力ドラム１の表面との間での光の干渉作用によってニュートンリング（干渉縞）が生じ、このニュートンリングはカラー原稿２上に縞状の濃度ムラとして現われて原稿の質を著しく損ねることになる。この干渉縞を防止するために、従来はカラー原稿２と入力ドラム１との間に超微粒子の粉を散布したり、充填剤を塗布したりしていたが、粉には画像の倍率を高くすると粒子が見えてしまったり、取扱いが困難であったりする欠点があり、充填剤には塗布，拭取り等の作業が面倒であるといった欠点がある。
　また、トータルカラースキャナ等の画像入出力システムは原稿フイルム等の画像情報を入力し、拡大／縮小等の操作を加えた後、任意のレイアウトに画像情報を出力するための装置であり、原稿の読取は第１２図と同様に行なわれるが、画像入出力システムの場合にはレイアウトのために原稿読取時の入力ドラム１上でのカラー原稿２の座標を知る必要がある。そのため、従来は第１３図に示すように、透明な方形シート状の原稿貼付ベース２２上にカラー原稿２を貼付テープ２３で貼付し、位置決め孔２４はディジタイザの対応するピンに嵌合させてカラー原稿２の必要部分の座標を画像入出力システムに入力している。その後、第１４図に示すように原稿貼付ベース２２の位置決め孔２４を入力ドラム１の対応するピン２５に嵌合させて取付け、第１２図の場合と同様に入力ドラム１の内側の光源２０からカラー原稿２に光を照射し、カラー原稿２からの透過光ＬＴを読取ヘッド２１で受光することによってカラー原稿２の画像を入力して、ディジタイザで入力した座標と対応させてレイアウト処理を行なっていた。
　さらに、従来の画像入出力システムでは分解条件，信号処理条件の決定や設定に熟練オペレータを必要とし、しかも条件決定に要する時間は実際にシステムが作動する時間よりも多くかかっていた。従来の画像入出力システムはパラメータの設定オペレーションが複雑で、オペレータの心理的負担が大きかった。ここに、画像入出力システムの階調変換テーブルの自動設定方式として特開昭６０−３７８７８号公報で示されるものがあるが、入力特性値から設定条件を直接一意的に求めている。このため、原稿のマクロ的な情報はルール化されておらず、パラメータの推定精度に限界がある。また、信号処理条件を自動的に設定する方式として特開昭６２−１１１５７０号公報に示されるものがあるが、条件設定の動作がオペレータの主観的判断に基づく選択指定に依存しているため、効率的で正確なものではないといった欠点がある。
　この発明は上述のような事情よりなされたものであり、この発明の目的は、面倒な原稿貼りをなくし、操作を要することなく原稿データを自動解析して画像処理条件を自動設定するようにした平面走査型の画像入出力システム及びその処理条件自動設定方法を提供することにある。
発明の構成；
（課題を解決するための手段）
　この発明は平面走査型の画像入出力システムに関し、この発明の上記目的は、原稿カセットに収納された原稿をラフスキャン又は本スキャンして読取る画像読取手段と、この画像読取手段から得られる前記原稿の本スキャンデータを信号処理する信号処理手段と、
前記信号処理手段の出力に基づいて画像を記録する記録手段と、前記信号処理手段の信号処理条件を設定するセットアップのモードを選択するセットアップモード選択手段とを具備した画像入出力システムにおいて、該画像入出力システムはさらに
を設
を有し、前記セットアップのモードは、自動モード、プレセットモード及び手動モードを含み、前記自動モードが選択された場合には、前記信号処理条件設定手段により前記信号処理条件が自動的に設定され、前記プレセットモードが選択された場合には、予め格納されている条件データが読み出されて前記信号処理条件が設定され、前記手動モードが選択された場合には、手動で条件データが入力されて前記信号処理条件が設定される
おり、前記信号処理のパラメータを設定するセットアップのモードを選択可能な
前記セットアップのモードとして自動モード、プレセットモード及び手動モードを含み、前記自動モードが選択された場合には、
設定し、前記プレセットモードが選択された場合には、予め格納されている条件データを読み出して前記信号処理のパラメータを設定し、前記手動モードが選択された場合には、手動で入力された条件データにより前記信号処理のパラメータ
（作用）
　この発明ではカラーリバーサルフイルム等のカラー原稿を原稿カセットに収納し、この原稿カセットを原稿台に装填してから平面走査して画像データを得ることができ、プレスキャンデータから原稿の特性値を求めることによって原稿分類情報を演算し、この情報に従ってパラメータ設定を自動的に行なうようにしているので、効率的で高速な画像入出力を行なうことができる。また、原稿分類情報の演算及びパラメータ設定にファジー推論のルールを適用することによって、より効率的な設定動作を実現している。さらに、直接ＣＭＹ及び墨色の刷版を出力するようにしているので、操作性が良く非熟練者でも容易に印刷用製版を得ることができる。
（実施例）
　第１図はこの発明の画像入出力システムの外観構成を示しており、中央部に原稿画像を読取るスキャナ１００を有し、スキャナ１００の上部には読取画像及び出力画像をカラー表示するためのモニタ２００が設置され、スキャナ１００は本体デスク１０１の上に載置されている。スキャナ１００の前方には後述する原稿カセットを装填し、装置内に摺動して納められカラー原稿を線走査するようになっている原稿台１１０が設けられている。本体デスク１０１の上には、更にオペレータが操作して必要な指令等を入力する入力装置３００が置かれており、本体デスク１０１の下方には、読取った原稿の画像データを処理して必要な演算を行なうと共に、Ｃ，Ｍ，Ｙ及び墨（Ｋ）の製版用信号を出力する信号処理部４００が設置されている。入力装置３００には、オペレータがデータや指示を入力するためのキーボード３０１と必要な情報を表示するためのＣＲＴ３０２とが設けられている。また、信号処理部４００で処理されたデータに基づいて網掛フイルムを出力する出力機５００が設置され、出力機５００から出力された製版用フイルムを現像する自動現像機６００が設けられている。なお、各装置の形状や配置は第１図に限定されるものではない。
　第２図はスキャナ１００の原稿台１１０の構造を示しており、筐体状の原稿台１１０の全体は、これに連結された移動部材１１１とこの移動部材１１１に接続されたワイヤ１１２，モータ１１３とによって副走査方向に走査されるようになっている。また、原稿台１１０内には、モータ１１４によって図示方向に回転される回転台受１１５が設けられており、回転台受１１５の中央部には原稿カセット１０２を受容するカセット受１０３が設けられており、回転台受１１５の全体は、これに連結された移動部材１１６とこの移動部材１１６に接続されたワイヤ１１７，モータ１１８とによってトリミング方向に走査されるようになっている。なお、移動部材１１１及び１１６はスクリュー棒とナットの関係で走査されても良い。また、原稿台１１０の副走査方向の始端部上面には、画像の読取開始時に倍率調整用チャートを読取って光学系を調整するための補正用領域１０４が設けられている。
　また、第３図はスキャナ１００の入力部光学系を示しており、カセット受１０３に受容された原稿カセット１０２は、下方に配設されたライン状のアパーチャ型蛍光灯１２１によって照射される。原稿カセット１０２内には例えばカラーリバーサルフイルム等のカラー原稿１２０が収納されており、反射防止型の１対の透明な原稿保持用ガラス１２２及び１２３で挟持されている。原稿カセット１０２を透過した画像光は入力装置３００で設定された倍率の結像レンズ１２４に入力され、その上部に連結されている色分解プリズム１２５に入力されてＲ，Ｇ，Ｂの３原色に色分解される。色分解されたＲＧＢ３色の光はそれぞれＣＣＤ等で成るイメージセンサ１２６Ｒ，１２６Ｇ，１２６Ｂに入力され、ＲＧＢの画像信号ＰＳに変換される。なお、結像レンズ１２４は複数個用意されており、ターレット等によって指定倍率のレンズ系に交換できるようになっている。第４図は蛍光灯１２１とカラー原稿１２０との走査関係を示し、線状の主走査ライン１２０Ａが同時に読取られ、副走査方向に移動されることによって全体の画像が読取られる。なお、上記入力部光学系はカラー原稿１２０の本スキャンに先立って、ラフスキャンを行ない得るようになっている。
　さらに、第５図は出力機５００の概略構成を示しており、出力機５００は信号処理部４００のスレーブとして動作し、ＲＳ−２３２Ｃによって転送されるコマンドに対して一定の制御シーケンスを実行し、結果の状態をホストである信号処理部４００のＣＰＵ４０１へ返信する。すなわち、ＣＰＵ４０１から出力機５００にステータスチェック信号が送られると、出力機５００は露光できる状態であれば“ｒｅａｄｙ”信号を送信し、次にＣＰＵ４０１から送られて来る露光準備の問合せ信号に対して“ＯＫ”信号を返信して露光を行なう。信号処理部４００から送られて来る画像信号は、後述する網掛回路５３１で網掛処理されることによってＯＮ／ＯＦＦ信号に変換され、レーザダイオードで成るレーザ整形光源５０１から発光されたレーザ光５０２によって感光材料５０３に露光される。レーザ光５０２の主走査にはレゾナントスキャナ５０４が用いられ、主走査されたレーザ光はｆθレンズ５０５及びミラー５０６を介して副走査ドラム５１０上の感光材料５０３を露光する。副走査ドラム５１０はレーザ光５０２に対する副走査を行ない、ドラム回転はＰＬＬ制御のＤＣサーボモータによって行なわれる。また、感光材料５０３は感光マガジン５１１内に収納されており、搬送ローラを介して副走査ドラム５１０上を経て搬送され、カッタ５１２で所定長さにカットされて排出されるようになっている。
　網掛回路５３１の網掛処理は、画像信号と８ビットのしきい値の集合（網データ）を順次比較することにより行なうディジタル方式であり、網データは標準のものはＲＯＭで有し、それ以外のものはオプションとして設けられているフロッピディスクからロードするようになっている。出力機５００は信号処理部４００に対して常にスレーブであり、ＲＳ−２３２Ｃによって送られて来るコマンドに対して一定のシーケンスを行ない、結果の状態を返信する機能しか有しておらず、自分自身から通信を起動することはない。
　このような構成となっていることから、露光時の一連のシーケンスは、信号処理部４００が通信によって出力機５００を管理することによって行なわれる。出力機５００は更に、イニシャルロード，クリーニング，カット，感材残量レジスタのセットなどの信号処理部４００のパネルから起動できる機能を持つ。ここでイニシャルロードは、感材マガジン５１１を装着した場合あるいはジャム発生でカバーを開けた場合に、感光材料５０３を所定の位置まで送って光があたった（かぶった）部分をカットし、初期状態とする処理である。また、クリーニングは感光材料５０３を一定量引出し、カット後に自現機６００に送出すことによって自現機６００を動作させ、現像液，定着液，水洗水などの補給を行なわせる処理であり、カットは露光の為に引出された感光材料５０３をカットして排出する処理である。さらに、感材残量レジスタのセットは、感材マガジン５１１の装着時に感材残量をセットすれば、カット，排出の度にこれが減算されて表示される機能である。
　画像入出力システムの内部構成は第６図に示すようになっており、スキャナ１００のイメージセンサ１２６Ｒ，１２６Ｇ，１２６Ｂから出力されるＲＧＢ画像信号ＰＳは信号処理部４００に入力される。画像信号ＰＳには、ラフスキャンによって得られるラフスキャンデータと本スキャンデータによって得られる本スキャンデータとがあり、各スキャンデータがディジタル化されて後に信号処理部４００に入力されるようになっている。信号処理部４００は全体の制御を行なうＣＰＵ（ホストコンピュータ）４０１を有し、等価中性濃度（Ｅｑｕｉｖａｌｅｎｔ　Ｎｅｕｔｒａｌ　Ｄｅｎｓｉｔｙ）変換４０２，色修正４０３，拡大又は縮小４０４，鮮鋭度強調４０５，階調変換４０６，墨版生成４０７を必要に応じて行なうようになっており、必要なデータの読出や格納を行なうためのフロッピーディスク４１０及びハードディスク４１１が接続されていると共に、ラフスキャンデータを一時記億する画像メモリ４２０が接続され、必要な指示情報を入力するマウス４２１が接続されている。また、信号処理部４００にはモニタ２００及び入力装置３００が接続されており、信号処理されたＣ，Ｍ，Ｙ，Ｋ　（墨）の４色の製版信号は出力機５００に送られ、網掛回路５３１及び駆動回路５３２を介してレーザ整形光源５０１からレーザ光５０２を発光する。網掛回路５３１及び駆動回路５３２はＣＰＵ５０１で制御されるようになっている。信号処理部４００は画像メモリ４２０からラフスキャンデータを読出して累積ヒストグラム等の特性値を演算すると共に、上記特性値に基づいてオーバー露光／アンダー露光等の原稿分類情報を演算し、更には処理条件のパラメータを自動的に設定する。また、キーボード３０１及びマウス４２１からはトリミング範囲，倍率，出力線数，網角度等のスキャニング情報、シーケンス制御のスタート，ストップを入力するようになっている。
　このような構成において、その動作を第７図のフローチャートを参照して説明する。
　先ず、原稿カセット１０２をスキャナ１００にセットするが（ステップＳ１）、原稿カセット１０２はカセット受１０３に入れられ、オペレータ
は入
　ここで、プレスキャンによる信号処理条件の自動設定について、第８図及び第９図を参照して説明する。プレスキャンによるプレスキャンデータＰＤは画像メモリ４２０に格納され（ステップＳ３１）、当該原稿の画像がモニタ２００に表示されると共に（ステップＳ３２）、特性値ＣＲの計算が行われる（ステップＳ３４）。特性値ＣＲとしてはＲＧＢ毎の累積ヒストグラムの任意％における濃度（レベル），画面分割（たとえば１／４，１／８）した領域毎のＲＧＢ毎の累積ヒストグラムの上記値，ＲＧＢ毎の濃度平均値，ＲＧＢ毎のヒストグラムの最大ピーク濃度，等がある。第１０図（Ａ）は累積ヒストグラムの例を示しており、この累積ヒストグラムの任意％における濃度は同図（Ａ）の如くして得られる。また第１０図（Ｂ）はヒストグラムの例を示しており、ヒストグラムの最大ピーク濃度は同図（Ｂ）の如くして得られる。この特性値ＣＲと原稿特性との関係を記述したルールによって原稿分類情報０Ｃを演算する。たとえば次のようなルールによって原稿分類情報０Ｃ（▲１▼〜▲７▼）を得る。
▲１▼　Ｉｆ濃度平均値が非常に低いｔｈｅｎ露光はかなりオーバ
▲２▼　Ｉｆ濃度平均値が低いｔｈｅｎ露光はオーバ
▲３▼　Ｉｆ濃度平均値が少し低いｔｈｅｎ露光は少しオーバ
▲４▼　Ｉｆ濃度平均値が中くらいｔｈｅｎ露光はノーマル
▲５▼　Ｉｆ濃度平均値が少し高いｔｈｅｎ露光は少しアンダー
▲６▼　Ｉｆ濃度平均値が高いｔｈｅｎ露光はアンダー
▲７▼　Ｉｆ濃度平均値が非常に高いｔｈｅｎ露光は非常にアンダー
　上述のように濃度平均値範囲を７つに分類し、各々の領域を▲１▼〜▲７▼で区別する。任意の入力データは上記の７つルールのどれかにあてはまり、アンダー又はオーバーの露光が判断される。原稿分類情報０Ｃとしては他にハイキー／ローキー，ハイライト点の有無，絵柄，肌色の有無，色かぶり等があり、上述と同様なファジー推論のルールを適用することができる。次に、この原稿分類情報０Ｃから次のルールに従ってパラメータ設定ＰＳを行なう。
Ｉｆ露光がかなりオーバーｔｈｅｎハイライト点濃度は０．０５
Ｉｆ露光がオーバーｔｈｅｎハイライト点濃度は０．１０
Ｉｆ露光が少しオーバーｔｈｅｎハイライト点濃度は０．１５
Ｉｆ露光がノーマルｔｈｅｎハイライト点濃度は０．２０
Ｉｆ露光が少しアンダーｔｈｅｎハイライト点濃度は０．３０
Ｉｆ露光がアンダーｔｈｅｎハイライト点濃度は０．４０
Ｉｆ露光がかなりアンダー、ｔｈｅｎハイライト点濃度は０．５０
　このルールも同様であり、ハイライト点濃度が設定される。他の特徴量からも同じようにハイライト点濃度が出力され全体結果としては平均値をとる。他の項目に対しても同様なＩＦ〜ｔｈｅｎ〜のファジー推論を適用できる。
　モニタ２００での画像表示を見ながらオペレータは入力装置３００によってトリミング範囲等を入力し（ステップＳ３３）、その後に上述の如くして得られた原稿分類情報０Ｃでパラメータ設定を行ない（ステップＳ３５）、信号処理条件の設定を行なってから（ステップＳ３６）、本スキャンを行なうことになる（ステップＳ３７　）。セットアップパラメータとしては階調変換カーブのハイライト／シャドー点濃度及びカーブの形状，鮮鋭度強調係数，色修正係数等がある。
　すなわち、上述のような前処理の後、装填された原稿カセット１０２のカラー原稿１２０の画像をスキャナ１００で読取るが、この場合、原稿カセット１０２は回転台受１１５によって回転され、移動部材１１６によってトリミング方向に、移動部材１１１によって副走査方向にそれぞれ移動され、第４図に示すようなライン１２０Ａの領域が主走査される。蛍光灯１２１から照射され透過した光は結像レンズｌ２４に入力され、色分解プリズム１２５でＲＧＢに色分解されてからそれぞれイメージセンサ１２６Ｒ，１２６Ｇ，１２６Ｂに結像される。イメージセンサ１２６Ｒ〜１２６Ｂからは検出された１ライン分の画像信号ＰＳが出力され、信号処理部４００に入力されてＥＮＤ変換４０２，色修正４０３，拡大又は縮小４０４，鮮鋭度強調４０５，階調変換４０６，墨版生成４０７の各処理が前記設定された条件で施される。色修正はたとえば特開昭５８−１７８３５５号公報で示されるような方法で、鮮鋭度強調はたとえば特開昭６０−５４５７０号公報で示されるような方法で行なう。また、ＥＮＤ変換や階調変換を含めて、特開昭５９−１１０６２号公報で示される方法を用いても良い。そして、生成された製版用信号の画像データＣ，Ｍ，Ｙ，Ｋによって形成される画像がモニタ２００に表示されるので、この表示画像を見ながら所望の画像となるように色味等をキーボード３０１で調整しても良い。
　このようにして信号処理部４００で得られたＣ，Ｍ，Ｙ，Ｋの製版用信号は出力機５００に送られ、網掛回路５３１で網掛処理されてレーザ整形光源５０１の駆動回路５３２に送られ、網点出力の２値信号で発光される。光源５０２で発光されたレーザ光５０２はレゾナントスキャナ５０４及びｆθレンズ５０５に入力され、ミラー５０６で反射されて副走査ドラム５１０位置で感光材料５０３を露光する。露光された感光材料５０３はカッタ５１２で所定長さにカットされ自現機６００に送られて現像されＣ，Ｍ，Ｙ，Ｋの４色製版が作成される。
発明の効果；
　この発明の画像入出力システム及び信号処理条件の自動設定方法によれば、原稿貼りのないカセット方式であるため操作が簡単であり、平面走査による入力方式であるため高速入力が可能であると共に、信号処理に必要なパラメータの設定を全て自動的にかつ原稿の特性に忠実に対応して設定するようにしているので、画像入出力システムの稼働率及び作業性の向上を図ることができる。
【図面の簡単な説明】
　第１図はこの発明の一実施例を示す外観構成図、第２図はこの発明の原稿台の一例を示す構造図、第３図は画像入力部の光学系を示す図、第４図は光源と原稿との関係を示す図、第５図は出力機の一例を示す構造図、第６図はこの発明の回路系を示すブロック図、第７図はこの発明の動作例を示すフローチャート、第８図はこの発明の信号処理条件の設定方法を示すフローチャート、第９図はその一部を示すフローチャート、第１０図（Ａ）及び（Ｂ）は累積ヒストグラム及びヒストグラムに対する特性値の一例を示す図、第１１図は従来の画像入出力システムの一例を示すブロック図、第１２図〜第１４図は入力ドラムに対するカラー原稿の貼付を説明するための図である。
　１００……スキャナ、１０２……原稿カセット、１１０……原稿台、２００……モニタ、３００……入力装置、３０１……キーボード、３０２……ＣＲＴ、４００……信号処理部、４１０……フロッピーディスク、４１１……ハードディスク、５００……出力機、６００……自動現像機。